(57)【要約】【課題】携帯用通信端末との間でデータの種別ごとにバックアップ等のデータの書き換えを簡単に行える充電装置を提供する。【解決手段】バックアップモードが選択された時、ＣＰＵ１７は、データ端子１１を介して携帯電話２の内蔵メモリのデータをＲＡＭ１６に格納する。ＣＰＵ１７は、ＲＡＭ１６に記憶されたバックアップ対象データとＨＤＤ２０内の対応する種別データ領域２１のデータとを比較し、ＨＤＤ２０にＲＡＭ１６のバックアップ対象の種別が存在しなければ、その種別データをＨＤＤ２０の種別領域２１にコピーする。ＨＤＤ２０の種別領域２１に種別が存在する場合、その種別データがＲＡＭ１６のデータと異なれば、ＨＤＤ２０のバックアップ領域２２に種別領域２１のデータをコピーし、種別領域２１の該当種別のデータをＲＡＭ１６の種別データに書き換える。【選択図】図１
2007209131.tif 000002
【特許請求の範囲】
【請求項１】
通信端末を充電する充電装置において、
通信端末のデータを記憶してバックアップする記憶手段と、
通信端末のデータを種別ごとに前記記憶手段に記憶する制御手段とを備えることを特徴する充電装置。
【請求項２】
前記記憶手段は、種別ごとにデータを記憶する種別領域と、前記種別領域のデータが書き換えられる場合、書き換える前のデータを記憶するバックアップ領域とを備えることを特徴とする請求項１記載の充電装置。
【請求項３】
通信端末と共通の外部記憶手段の装着部を備え、
外部記憶手段を介して種別データのやり取りを可能とすることを特徴とする請求項１乃至３のいずれかに記載の充電装置。
【発明の詳細な説明】
【技術分野】
【０００１】
本発明は、携帯電話等の携帯用無線通信端末を充電する充電装置に関し、特に携帯用無線端末のデータをバックアップするとともに、バックアップデータから各種のデータの使い分けを容易にする技術に関する。
【背景技術】
【０００２】
近年、携帯電話等の携帯用無線通信端末が普及し、高機能化が進んでいる。例えば、本来持っている通話機能に加え、電子メール、ネット検索、住所録、スケジュール管理、ゲーム、デジタルカメラ、ミュージックプレイヤー等の機能を備えている。これに伴って、記憶しておくデータ量が飛躍的に増加しており、携帯用端末の内蔵メモリ容量も増加傾向にある。しかし、内部メモリだけでは容量拡大に限度が有るため、着脱自在な外部メモリを利用する端末も登場している。
【０００３】
携帯用端末は、ユーザが外に持ち出して使用するため、例えば、落として壊してしまったり、無くしてしまう場合もあり得る。そうすると、それまで蓄積したデータがすべて失われてしまい、復活させる手段が全く無い状態となり、再度入力しなければならなくなる。この対策として、データのバックアップをパソコンなどに定期的に行うことが考えられるが、例えば、出張などで、そばにバックアップするパソコン等がない場合もあり得るし、また、パソコンをいちいち立ち上げてバックアップする手間もかかる。
【０００４】
そこで、特許文献１には、携帯用端末の電池パックを充電する充電器を利用し、データのバックアップを行うものが記載されている。この充電器は、無線通信機の通信情報メモリのデータをバックアップするとともに、バックアップデータの修正・追加データを音声で知らせる。また、この充電器にメモリカードを装着することにより、本充電器を使用することが出来ない端末ともメモリカードを使用することによって容易にデータ交換をおこなえるようにする。
【特許文献１】特開平１１−２４３６４７号公報
【発明の開示】
【発明が解決しようとする課題】
【０００５】
しかし、特許文献１に記載の充電器はメモリスロットを備えているが、物理的に端末と同じＩ／Ｆ（インターフェース）ではないので、メモリスロットに装着した外部メモリに蓄積したバックアップデータをリストアするには、充電器と携帯用端末を用いてデータのやり取りをおこなう必要があった。
【０００６】
また、メモリに記憶されているデータ全体を一度にバックアップあるいはデータを復活する場合もあるが、電子メール、ネット検索、住所録等のデータを種別ごとに行いたい場合もある。特許文献１では、携帯電話の内蔵メモリあるいはメモリカードに記憶されているデータ全体に対して修正・追加を行っているだけある。充電装置を用いる場合は、パーソナルコンピュータほどデータの操作・編集機能が充実しているわけではないので、簡単な操作によってデータの種別ごとの追加修正が必要になる場合もある。
【０００７】
本発明の目的は、斯かる実情に鑑み、携帯用通信端末との間でデータの種別ごとにバックアップ等のデータの書き換えを簡単に行える充電装置を提供しようとするものである。
【課題を解決するための手段】
【０００８】
本発明は、通信端末を充電する充電装置において、通信端末のデータを記憶してバックアップする記憶手段と、通信端末のデータを種別ごとに前記記憶手段に記憶する制御手段とを備えることを特徴する。
【０００９】
また、前記記憶手段は、種別ごとにデータを記憶する種別領域と、前記種別領域のデータが書き換えられる場合、書き換える前のデータを記憶するバックアップ領域とを備えることを特徴とする。
【００１０】
また、通信端末と共通の外部記憶手段の装着部を備え、外部記憶手段を介して種別データのやり取りを可能とすることを特徴とする。
【発明の効果】
【００１１】
本発明に係る充電装置は、通信端末のデータを種別ごとに記憶するので、データを種別ごとに選択して簡単に復活することができる。また、種別領域のデータが書き換えられる場合、書き換える前のデータを記憶するバックアップ領域も備えているので、削除してしまったデータや、更新前のデータも記憶しているので、必要に応じて復活させることができる。
【００１２】
また、通信端末と共通の外部記憶手段の装着部を備えるので、メモリカードなどの外部記憶手段を介して通信端末のデータのバックアップやデータ復活ができる。従って、機種が異なって充電装置に接続ができないような通信端末でもバックアップやデータ復活ができる。
【発明を実施するための最良の形態】
【００１３】
以下、本発明の実施の形態を添付図面を参照して説明する。
【００１４】
図１は本発明に係る充電装置の一実施形態を示すブロック図であり、図２は充電装置と携帯電話の外観図である。
この充電装置１は、携帯電話２を接続充電するとともに、携帯電話２の記憶データのバックアップをおこなうものである。さらにパーソナルコンピュータ（ＰＣ）３とデータのやり取りも可能としている。また、メモリカード４を用いて、携帯電話２とのデータのやり取りも可能としている。
【００１５】
この充電装置１は、携帯電話２とともにセットで販売されるものであり、携帯電話２の専用充電装置である。携帯電話２を載置する部分には、携帯電話２とデータの送受信を行うデータ端子１１、携帯電話２の充電を行う充電端子１２を備え、ＰＣ３とデータの送受信を行うＵＳＢ端子１３、メモリカード４を挿入して接続するメモリスロット１４を備える。また、充電端子１２を介して携帯電話２の電池パックへの充電電圧を印加する充電回路１５、データを一時保存するＲＡＭ１６、各部を制御するＣＰＵ１７、データを保存するハードディスク（ＨＤＤ）２０、キー等による入力操作を行う操作部２３、液晶パネル等からなるディスプレイ部２４を備える。ＨＤＤ２０は、データを種別ごとに格納する種別データ領域２１と、種別データ領域２１に格納されないデータを保存するバックアップ領域２２とを備えている。
【００１６】
携帯電話２の内蔵メモリに記憶される各データは、電子メールデータ、ネット検索データ、住所録データ、スケジュール管理データ、ゲームデータ、撮影画像データ、ミュージックデータ等の各種別ごとに記憶されている。また、データ種別を示すイメージ、すなわちアイコンも生成されて内蔵メモリに記憶する。アイコンは、あらかじめ種別ごとに登録しておき、ユーザが編集も可能としておく。さらにデータの作成日時も記憶しておく。
【００１７】
充電装置１のＨＤＤ２０には、携帯電話２の内蔵メモリに記憶されている種別データをバックアップする種別データ領域２１が設けられており、さらに種別データ領域２１の削除データや更新前のデータを記憶するバックアップ領域２２を設けている。
【００１８】
次に、この充電装置の動作について説明する。まずは、充電装置と携帯電話同士のデータ処理について説明する。図３は、充電装置に携帯電話を載置した場合の処理手順を示すフローチャートである。
【００１９】
充電装置１に携帯電話２を、図２に示すように載置すると（ステップＳ１）、充電装置１の充電端子１２とデータ端子１１が携帯電話２の対応する端子に接続される。図示はしていないが、充電装置１は商用電源に接続されており、充電回路１５は該商用電源から充電用直流電圧を生成して充電端子に印加し、携帯電話の電池パックを充電する（ステップＳ２）。
【００２０】
次に、ＣＰＵ１７は、携帯電話２が、その充電装置に対応する携帯電話であるかを確認する（ステップＳ３）。例えば、あらかじめ充電装置１と携帯電話２にＩＤナンバー等を登録しておき、データ端子１１を介してＣＰＵ１７が、充電装置１のＩＤナンバーと携帯電話のＩＤナンバーとを比較して一致したときに、対応する携帯電話２と認識する。不一致の場合は、ディスプレイ２４に対応していない携帯電話である旨を表示し（ステップＳ４）、データの書き換え処理は行わない。
【００２１】
携帯電話２が充電装置１に対応する携帯電話であれば、ＣＰＵ１７はディスプレイ２４にバックアップモードかデータ復活かのモード選択表示を行い、ユーザに操作部２３を使って選択させる（ステップＳ５）。バックアップモードが選択された場合は、ステップＳ６に進み、バックアップ処理が行われる。データ復活モードが選択された場合は、ステップＳ７に進み、データ復活処理が行われる。モード選択されない場合は、データ処理を行わない。
【００２２】
図４は、バックアップ処理の手順を示すフローチャートである。
まずバックアップモードが選択された時、ＣＰＵ１７は、データ端子１１を介して携帯電話２の内蔵メモリに記憶されているデータを読み出し、一旦、ＲＡＭ１６に格納する（ステップＳ１１）。そして、ＣＰＵ１７は、ディスプレイ２４にデータ全体をバックアップするか、それとも一部をバックアップするかを問う表示を行い、ユーザに操作部２３を使って選択させる（ステップＳ１２）。一部のデータをバックアップする場合はステップＳ１３に進んで、ＲＡＭ１６の内蔵メモリに記憶されている種別データのアイコンをディスプレイ２４に表示し、バックアップ対象データをユーザに選択させる。データ全体が選択された場合は、バックアップ対象データは全体となる。
【００２３】
次にステップＳ１４において、ＣＰＵ１７は、ＲＡＭ１６に記憶されたバックアップ対象データとＨＤＤ２０内の対応する種別データ領域２１のデータとを比較する。そして、ＨＤＤ２０にＲＡＭ１６のバックアップ対象の種別が存在するかを確認する（ステップＳ１５）。存在しなければ新たな種別であるので、その種別データをＨＤＤ２０の種別領域２１にコピーする（ステップＳ１６）。
【００２４】
ＨＤＤ２０の種別領域２１に種別が存在する場合、その種別データがＲＡＭ１６のデータと同一であるか否かを判断する（ステップＳ１７）。同一であれば、処理は終了する。異なれば、ＨＤＤ２０のバックアップ領域２２に種別領域２１のデータをコピーし、種別領域２１の該当種別のデータをＲＡＭ１６の種別データに書き換える（ステップＳ１８）。
【００２５】
例えば、ＣＰＵ１７が、ＲＡＭ１６に記憶した種別データとＨＤＤ２０内の対応する種別データ領域２１のデータとを比較すると、ＲＡＭ１６とＨＤＤ２０の種別領域２１に種別１のデータがあるとする。そして、種別１０がＨＤＤ２０の種別データ領域２１にはないとする。
【００２６】
まず、種別１０は、ＨＤＤ２０の種別領域２１に新たに追加される。ＲＡＭ１６の種別１のデータが、種別データ領域２１の種別１のデータと同一であれば、それで処理は終了する。同一でなければ、種別データ領域２１の種別１のデータをＨＤＤのバックアップ領域２２にコピーしてから、種別領域２１の種別１のデータをＲＡＭ１６の種別１のデータに書き換える。
【００２７】
こうして、携帯電話を充電装置１に載置すると、自動的に充電が行われると同時に、内蔵メモリのデータをバックアップできる。このとき、種別ごとにバックアップもできるし、すべてのデータをバックアップすることもできる。しかも、更新前のデータや削除されたデータがバックアップ領域２２へ保存されているので、そのようなデータも必要に応じて復活することができる。
なお、ＨＤＤ２０の空き容量が少なくなった場合は、バックアップ領域２２に記憶されているデータを古い順から消去していく。
【００２８】
次に、ＨＤＤ２０の種別のデータを携帯電話に復活する場合について説明する。図５は、データ復活処理の手順を示すフローチャートである。
【００２９】
ＣＰＵ１７は、ディスプレイ２４に種別データ全体を復活させるか、それとも一部を選択して復活させるかを問う表示を行い、ユーザに操作部２３を使って選択させる（ステップＳ２１）。
【００３０】
一部のデータをバックアップする場合はステップＳ２２に進んで、ＣＰＵ１７はディスプレイ２４に、まず、種別データ領域２１の各種別のアイコンを表示する。さらに、バックアップ領域２２を示すアイコンも表示する。バックアップ領域２２には種別とデータの作成日付を記憶しているので、それも表示する。ユーザが操作部２３を使用して、ＨＤＤ２０から携帯電話に移行させたいデータ種別のアイコンをディスプレイ２４の表示から選択する。
【００３１】
ＣＰＵ１７は、選択されたＨＤＤ２０のデータを読み出し（全体を選択した場合は、種別領域にある種別データ全体が選択されたことになる）、ＲＡＭ１６に一旦格納する（ステップＳ２３）。ＣＰＵ１７は、ＲＡＭ１６に格納されたデータを、データ端子１１を介して、携帯電話２の内蔵メモリに書き込む（ステップＳ２４）。こうして、バックアップしたデータを復活することができる。特に、種別ごとに復活が可能となるし、バックアップ領域のデータも復活できることから、削除したデータや更新前のデータも復活できる。
【００３２】
充電装置とセットになった携帯電話２とデータのやり取りを行う場合には、上記のように充電装置１に携帯電話を載置してデータ転送を行えば良いが、全く別の機種の携帯電話の場合はそうはできない。
そこで、メモリカード４を利用して、充電装置１と携帯電話２との間でデータ転送を行う。携帯電話２のメモリスロット１４と充電装置のメモリスロットは共通であり、いずれにもメモリカード４を装着できるものとする。
【００３３】
図６は、メモリカードを充電装置に装着した場合の処理手順を示すフローチャートである。
ユーザが、携帯電話２に装着されたメモリカード４に、あらかじめバックアップが必要なデータを内蔵メモリから移しておくか、あるいはメモリカード４にデータを保存しながら使用していたとする。メモリカード４を携帯電話２から取り外し、充電装置１のメモリスロット１４に装着する（ステップＳ３１）。あらかじめ充電装置１には、データをやり取りできるメモリカードのパスワードが登録されており、ユーザはパスワードを入力する（ステップＳ３２）。ＣＰＵ１７は、入力されたパスワードと、充電装置１に登録されていたパスワードが一致するかを確認する（ステップＳ３３）。
【００３４】
パスワードが一致しなければ、パスワードが異なる旨をディスプレイ２４に表示し（ステップＳ３４）、データの書き換え処理は行わない。
【００３５】
パスワードが一致すれば、ＣＰＵ１７はディスプレイ２４にバックアップモードかデータ復活かのモード選択表示を行い、ユーザに操作部２３を使って選択させる（ステップＳ３５）。バックアップモードが選択された場合は、ステップＳ３６に進み、バックアップ処理が行われる。データ復活モードが選択された場合は、ステップＳ３７に進み、データ復活処理が行われる。モード選択されない場合は、データ処理を行わない。
【００３６】
図７は、バックアップ処理の手順を示すフローチャートである。
まずバックアップモードが選択された時、ＣＰＵ１７は、メモリスロット１４に接続されているメモリカード４からデータを読み出し、一旦、ＲＡＭ１６に格納する（ステップＳ４１）。そして、ＣＰＵ１７は、ディスプレイ２４にデータ全体をバックアップするか、それとも一部をバックアップするかを問う表示を行い、ユーザに操作部２３を使って選択させる（ステップＳ４２）。一部のデータをバックアップする場合はステップＳ４３に進んで、ＲＡＭ１６に記憶されている種別データのアイコンをディスプレイ２４に表示し、バックアップ対象データをユーザに選択させる。データ全体が選択された場合は、バックアップ対象データは全体となる。
【００３７】
次にステップＳ４４において、ＣＰＵ１７は、ＲＡＭ１６に記憶されたバックアップ対象データとＨＤＤ２０内の対応する種別データ領域２１のデータとを比較する。そして、ＨＤＤ２０にＲＡＭ１６のバックアップ対象の種別が存在するかを確認する（ステップＳ４５）。存在しなければ新たな種別であるので、その種別データをＨＤＤ２０の種別領域２１にコピーする（ステップＳ４６）。
【００３８】
ＨＤＤ２０の種別領域２１に種別が存在する場合、その種別データがＲＡＭ１６のデータと同一であるか否かを判断する（ステップＳ４７）。同一であれば、処理は終了する。異なれば、ＨＤＤ２０のバックアップ領域２２に種別領域２１のデータをコピーし、種別領域２１の該当種別のデータをＲＡＭ１６の種別データに書き換える（ステップＳ４８）。
【００３９】
こうしてメモリカード４に記憶されているデータを充電装置１のＨＤＤ２０にバックアップすることができる。しかも、更新前のデータや削除されたデータがバックアップ領域２２へ保存されているので、そのようなデータも必要に応じて復活することができる。
【００４０】
次に、ＨＤＤ２０の種別のデータをメモリカード４に復活する場合について説明する。図８は、データ復活処理の手順を示すフローチャートである。
【００４１】
ＣＰＵ１７は、ディスプレイ２４に種別データ全体を復活させるか、それとも一部を選択して復活させるかを問う表示を行い、ユーザに操作部２３を使って選択させる（ステップＳ２１）。
【００４２】
一部のデータをバックアップする場合はステップＳ５２に進んで、ＣＰＵ１７はディスプレイ２４に、まず、種別データ領域２１の各種別のアイコンを表示する。さらに、バックアップ領域２２を示すアイコンも表示する。バックアップ領域２２には種別とデータの作成日付を記憶しているので、それも表示する。ユーザが操作部２３を使用して、ＨＤＤ２０から携帯電話に移行させたいデータ種別のアイコンをディスプレイ２４の表示から選択する。
【００４３】
ＣＰＵ１７は、選択されたＨＤＤ２０のデータを読み出し（全体を選択した場合は、種別領域にある種別データ全体が選択されたことになる）、ＲＡＭ１６に一旦格納する（ステップＳ５３）。ＣＰＵ１７は、ＲＡＭ１６に格納されたデータを、メモリスロット１４を介して、メモリカード４に書き込む（ステップＳ２４）。
【００４４】
こうして、このメモリカード４を携帯電話２に装着すれば、携帯電話２にバックアップしたデータを復活することができる。特に、種別ごとに復活が可能となるし、バックアップ領域のデータも復活できることから、削除したデータや更新前のデータも復活できる。
【００４５】
上述のように、充電装置１と携帯電話２の間で簡単にデータのバックアップや復活、すなわちデータの書き換え編集が可能となっているが、ＰＣ３とＵＳＢ端子１３を介して接続することができ、ＰＣ３よりバックアップ領域のデータを整理することも可能であり、さらには充電装置１のデータのバックアップをＰＣ１３に行うこともできる。
【００４６】
尚、本発明の充電装置は、上記した実施の形態に限定されるものではなく、本発明の要旨を逸脱しない範囲内において種々変更を加え得ることは勿論である。
【図面の簡単な説明】
【００４７】
【図１】本発明に係る充電装置の一実施形態を示すブロック図である。
【図２】充電装置と携帯電話の外観図である。
【図３】充電装置に携帯電話を載置した場合の処理手順を示すフローチャートである。
【図４】バックアップ処理の手順を示すフローチャートである。
【図５】データ復活処理の手順を示すフローチャートである。
【図６】メモリカードを充電装置に装着した場合の処理手順をメモリカードートである。
【図７】メモリカードを用いたバックアップ処理の手順を示すフローチャートである。
【図８】メモリカードを用いたデータ復活処理の手順を示すフローチャートである。
【符号の説明】
【００４８】
１  充電装置
２  携帯電話
３  パーソナルコンピュータ
４  メモリカード
１１  データ端子
１２  充電端子
１３  ＵＳＢ端子
１４  メモリスロット
１５  充電回路
２１  種別データ領域
２２  バックアップ領域
２３  操作部
２４  ディスプレイ
【図１】
2007209131.tif 000003
【図２】
2007209131.tif 000004
【図３】
2007209131.tif 000005
【図４】
2007209131.tif 000006
【図５】
2007209131.tif 000007
【図６】
2007209131.tif 000008
【図７】
2007209131.tif 000009
【図８】
2007209131.tif 000010